(57)【要約】【課題】本物感、無垢感に優れた木質化粧板及びその製造方法を提供する。【解決手段】木質化粧板１は、表面に凹凸形状を有する凹凸状非無垢基材１２と、凹凸状非無垢基材１２にインクジェット印刷された木目柄の表面印刷層２０と、を備え、表面印刷層２０の木目柄２５の成長輪５４を表す表面印刷層木目曲線２６は、凹凸状非無垢基材１２の凹凸の表面形状を示す表面形状曲線１７の変曲点である表面形状曲線変曲点１５と同じ位置に表面印刷層木目曲線２６の変曲点である表面印刷層木目曲線変曲点５５を有する。【選択図】図１
2019098616.tif 000002
【特許請求の範囲】
【請求項１】
表面に凹凸形状を有する凹凸状非無垢基材と、
この凹凸状非無垢基材にインクジェット印刷された木目柄の表面印刷層と、
を備え、
前記表面印刷層の木目柄の成長輪を表す表面印刷層木目曲線は、前記凹凸状非無垢基材の凹凸の表面形状を示す表面形状曲線の変曲点である表面形状曲線変曲点と同じ位置に前記表面印刷層木目曲線の変曲点である表面印刷層木目曲線変曲点を有することを特徴とする木質化粧板。
【請求項２】
前記インクジェット印刷が微小インクドット型インクジェット印刷である、請求項１に記載の木質化粧板。
【請求項３】
平板材にインクジェット印刷により木目柄の表面印刷層を形成するための木目柄のデータであって、木目柄のデータを取得するために仮想的に作成された標準平板状無垢材の木目の成長輪により前記標準平板状無垢材の任意の断面に形成される無垢材木目曲線のうち、前記標準平板状無垢材の表面に現れた曲線である表面無垢材木目曲線を含む標準木目画像データを取得する標準木目画像データ取得工程と、
前記表面無垢材木目曲線の位置と、前記標準平板状無垢材の任意の断面に形成される無垢材木目曲線の位置と、のズレを示す木目ずれデータを取得する木目ずれデータ取得工程と、
表面に凹凸形状を有する凹凸状非無垢基材の表面形状を測定して、前記凹凸状非無垢基材の凹凸形状の表面形状曲線を含む表面形状測定データを取得する表面形状測定工程と、
前記木目ずれデータと前記表面形状測定データとに基づき、前記標準木目画像データ中の前記表面無垢材木目曲線を、この表面無垢材木目曲線が前記凹凸状非無垢基材の凹凸の表面形状を示す表面形状曲線の変曲点である表面形状曲線変曲点と同じ位置に変曲点を有するように画像処理することにより凹凸補正木目曲線を含む凹凸補正木目画像データを作成する凹凸補正木目画像データ作成工程と、
前記凹凸補正木目画像データに基づき前記凹凸状非無垢基材の表面にインクジェット印刷することにより、前記凹凸状非無垢基材の表面に、前記凹凸補正木目画像データと同様の木目柄の表面印刷層を形成するインクジェット印刷工程と、
を有することを特徴とする木質化粧板の製造方法。
【請求項４】
平板材にインクジェット印刷により木目柄の表面印刷層を形成するための木目柄のデータであって、木目柄のデータを取得するために仮想的に作成された標準平板状無垢材の木目の成長輪により前記標準平板状無垢材の任意の断面に形成される無垢材木目曲線のうち、前記標準平板状無垢材の表面に現れた曲線である表面無垢材木目曲線を含む標準木目画像データを取得する標準木目画像データ取得工程と、
前記表面無垢材木目曲線の位置と、前記標準平板状無垢材の任意の断面に形成される無垢材木目曲線の位置と、のズレを示す木目ずれデータを取得する木目ずれデータ取得工程と、
平板状非無垢基材の表面を、表面に凹凸形状を有する凹凸状非無垢基材の表面形状に一致する形状に加工するための凹凸加工用表面形状データを取得する凹凸加工用表面形状データ取得工程と、
前記凹凸加工用表面形状データに基づき、前記平板状非無垢基材の表面を前記凹凸状非無垢基材の表面形状に一致する形状に加工して、前記凹凸状非無垢基材を作製する凹凸加工工程と、
前記木目ずれデータと前記凹凸加工用表面形状データとに基づき、前記標準木目画像データ中の前記表面無垢材木目曲線を、この表面無垢材木目曲線が前記凹凸状非無垢基材の凹凸の表面形状を示す表面形状曲線の変曲点である表面形状曲線変曲点と同じ位置に変曲点を有するように画像処理することにより凹凸補正木目曲線を含む凹凸補正木目画像データを作成する凹凸補正木目画像データ作成工程と、
前記凹凸補正木目画像データに基づき前記凹凸状非無垢基材の表面にインクジェット印刷することにより、前記凹凸状非無垢基材の表面に、前記凹凸補正木目画像データと同様の木目柄の表面印刷層を形成するインクジェット印刷工程と、
を有することを特徴とする木質化粧板の製造方法。
【発明の詳細な説明】
【技術分野】
【０００１】
本発明は、本物感、無垢感に優れた木質化粧板及びその製造方法に関する。
【背景技術】
【０００２】
従来、ＭＤＦ、合板、樹脂板等の基材の表面に、木目柄を印刷したり突板を貼付したりする木質化粧板が知られている。この木質化粧板は、パーケットフロア等のような本物感、無垢感を表現することが好ましい。例えば、特許文献１には、化粧シートや化粧板の表面に形成された目地等の凹部の着色方法として、化粧シートの表面と凹部とを全面着色した後、化粧シートの表面の着色剤を除去する方法が開示されている。
【先行技術文献】
【特許文献】
【０００３】
【特許文献１】特開２００５−３１３１４２号公報
【発明の概要】
【発明が解決しようとする課題】
【０００４】
しかしながら、特許文献１の方法で得られる化粧シートは、着色剤が除去された化粧シートの表面の模様と、着色剤が残存する凹部の模様とが、異なっており、また、凹部の模様は単一となり意匠性が低い。このため、特許文献１の方法で得られる化粧シートは、本物感、無垢感に欠けるという問題があった。
【０００５】
また、表面に突板を貼付した木質化粧板の場合、木質化粧板毎に突板の木目模様が異なるため、凹部に着色した木目模様と突板の木目模様とを連続させることが困難である。このため、従来の表面に突板を貼付した木質化粧板の場合は、本物感、無垢感に欠けるという問題があった。
【０００６】
ここで、「本物感」とは、看者に、印刷により形成された印刷層の柄や模様がその柄や模様の表現する材質からなると、錯覚させる感覚を意味する。例えば、印刷層の柄が木目柄である場合、看者に、印刷により形成された印刷層の木目柄部分を、木材からなると錯覚させる感覚を「本物感」という。
【０００７】
また、「無垢感」とは、看者に、印刷により形成された印刷層の柄や模様が、その柄や模様の表現する材質からなり、かつその柄や模様の表現する部材がその柄や模様の表現する材質を切り出したものであると、錯覚させる感覚を意味する。例えば、印刷層の柄が木目柄である場合、看者に、印刷により形成された印刷層の木目柄部分を、切り出した無垢の木材と錯覚させる感覚を「無垢感」という。
【０００８】
本発明は、上記課題に鑑みてなされたものである。本発明は、本物感、無垢感に優れた木質化粧板及びその製造方法を提供することを目的とする。
【課題を解決するための手段】
【０００９】
上記課題を解決するために、本発明の第１の態様に係る木質化粧板は、表面に凹凸形状を有する凹凸状非無垢基材と、この凹凸状非無垢基材にインクジェット印刷された木目柄の表面印刷層と、を備え、前記表面印刷層の木目柄の成長輪を表す表面印刷層木目曲線は、前記凹凸状非無垢基材の凹凸の表面形状を示す表面形状曲線の変曲点である表面形状曲線変曲点と同じ位置に前記表面印刷層木目曲線の変曲点である表面印刷層木目曲線変曲点を有することを特徴とする。
【００１０】
また、本発明の第２の態様に係る木質化粧板の製造方法は、平板材にインクジェット印刷により木目柄の表面印刷層を形成するための木目柄のデータであって、木目柄のデータを取得するために仮想的に作成された標準平板状無垢材の木目の成長輪により前記標準平板状無垢材の任意の断面に形成される無垢材木目曲線のうち、前記標準平板状無垢材の表面に現れた曲線である表面無垢材木目曲線を含む標準木目画像データを取得する標準木目画像データ取得工程と、前記表面無垢材木目曲線の位置と、前記標準平板状無垢材の任意の断面に形成される無垢材木目曲線の位置と、のズレを示す木目ずれデータを取得する木目ずれデータ取得工程と、表面に凹凸形状を有する凹凸状非無垢基材の表面形状を測定して、前記凹凸状非無垢基材の凹凸形状の表面形状曲線を含む表面形状測定データを取得する表面形状測定工程と、前記木目ずれデータと前記表面形状測定データとに基づき、前記標準木目画像データ中の前記表面無垢材木目曲線を、この表面無垢材木目曲線が前記凹凸状非無垢基材の凹凸の表面形状を示す表面形状曲線の変曲点である表面形状曲線変曲点と同じ位置に変曲点を有するように画像処理することにより凹凸補正木目曲線を含む凹凸補正木目画像データを作成する凹凸補正木目画像データ作成工程と、前記凹凸補正木目画像データに基づき前記凹凸状非無垢基材の表面にインクジェット印刷することにより、前記凹凸状非無垢基材の表面に、前記凹凸補正木目画像データと同様の木目柄の表面印刷層を形成するインクジェット印刷工程と、を有することを特徴とする。
【００１１】
また、本発明の第３の態様に係る木質化粧板の製造方法は、平板材にインクジェット印刷により木目柄の表面印刷層を形成するための木目柄のデータであって、木目柄のデータを取得するために仮想的に作成された標準平板状無垢材の木目の成長輪により前記標準平板状無垢材の任意の断面に形成される無垢材木目曲線のうち、前記標準平板状無垢材の表面に現れた曲線である表面無垢材木目曲線を含む標準木目画像データを取得する標準木目画像データ取得工程と、前記表面無垢材木目曲線の位置と、前記標準平板状無垢材の任意の断面に形成される無垢材木目曲線の位置と、のズレを示す木目ずれデータを取得する木目ずれデータ取得工程と、平板状非無垢基材の表面を、表面に凹凸形状を有する凹凸状非無垢基材の表面形状に一致する形状に加工するための凹凸加工用表面形状データを取得する凹凸加工用表面形状データ取得工程と、前記凹凸加工用表面形状データに基づき、前記平板状非無垢基材の表面を前記凹凸状非無垢基材の表面形状に一致する形状に加工して、前記凹凸状非無垢基材を作製する凹凸加工工程と、前記木目ずれデータと前記凹凸加工用表面形状データとに基づき、前記標準木目画像データ中の前記表面無垢材木目曲線を、この表面無垢材木目曲線が前記凹凸状非無垢基材の凹凸の表面形状を示す表面形状曲線の変曲点である表面形状曲線変曲点と同じ位置に変曲点を有するように画像処理することにより凹凸補正木目曲線を含む凹凸補正木目画像データを作成する凹凸補正木目画像データ作成工程と、前記凹凸補正木目画像データに基づき前記凹凸状非無垢基材の表面にインクジェット印刷することにより、前記凹凸状非無垢基材の表面に、前記凹凸補正木目画像データと同様の木目柄の表面印刷層を形成するインクジェット印刷工程と、を有することを特徴とする。
【発明の効果】
【００１２】
本発明の木質化粧板によれば、本物感、無垢感に優れた木質化粧板を提供することができる。本発明の木質化粧板の製造方法によれば、本物感、無垢感に優れた木質化粧板の製造方法を提供することができる。
【図面の簡単な説明】
【００１３】
【図１】実施形態に係る木質化粧板の一例を示す図である。図１（ａ）は、木質化粧板の断面図であり、図１（ｂ）は、図１（ａ）のＡ方向から見た平面図である。
【図２】木質化粧板の第１の製造方法を示す図である。
【図３】平板材を説明する断面図である。
【図４】標準木目画像データ取得工程で取得する標準木目画像データを説明する図である。図４（ａ）は、木目柄のデータを取得するために仮想的に作成された標準平板状無垢材の断面図であり、図４（ｂ）は、図４（ａ）の標準平板状無垢材のＢ方向から見た表面に現れた標準木目画像データの一例である。
【図５】木目ずれデータ取得工程で取得される木目ずれデータを説明する図である。図５（ａ）は、木目柄のデータを取得するために仮想的に作成された標準平板状無垢材の模式的な斜視図であり、図５（ｂ）は、図５（ａ）の領域Ｒ１に表された成長輪の無垢材木目曲線の木目ずれデータの一例である。
【図６】標準平板状無垢材の厚さ方向の深さＤ（ｄ１、ｄ２、ｄ３、ｄ４）と、各深さＤで切断した標準平板状無垢材の切断面に表れる木目の成長輪による無垢材木目曲線との関係を示す図である。
【図７】木目ずれデータ取得工程で取得される木目ずれデータを説明する図である。図７（ａ）は、木目柄のデータを取得するために仮想的に作成された標準平板状無垢材の模式的な斜視図であり、図７（ｂ）は、図７（ａ）の領域Ｒ２に表された成長輪の無垢材木目曲線の木目ずれデータの一例である。
【図８】凹凸補正木目画像データ作成工程で作成される凹凸補正木目画像データを説明する図である。図８（ａ）は、表面に凹凸形状を有する凹凸状非無垢基材の断面図である。図８（ｂ）は、図８（ａ）をＣ方向から見た表面に印刷するための標準木目画像データの一例である。図８（ｃ）は、標準木目画像データ等に基づいて作成された凹凸補正木目画像データの一例である。
【図９】平板状非無垢基材を説明する断面図である。
【図１０】木質化粧板の第２の製造方法を示す図である。
【発明を実施するための形態】
【００１４】
［木質化粧板］
実施形態に係る木質化粧板１について、図面を参照して説明する。図１は、実施形態に係る木質化粧板の一例を示す図である。図１（ａ）は、木質化粧板の断面図であり、図１（ｂ）は、図１（ａ）のＡ方向から見た平面図である。
【００１５】
図１に示すように、木質化粧板１は、表面に凹凸形状を有する凹凸状非無垢基材１２と、この凹凸状非無垢基材１２にインクジェット印刷された木目柄の表面印刷層２０と、を備える。
【００１６】
木質化粧板１は、例えば、床材、壁材、天井材等として用いられる。
【００１７】
＜凹凸状非無垢基材＞
表面に凹凸形状を有する凹凸状非無垢基材１２は、木質化粧板１に強度を付与し、その表面に印刷された表面印刷層２０が形成される部材である。凹凸状非無垢基材１２は、無垢材と異なる材質からなる基材である。凹凸状非無垢基材１２の材質としては、例えば、ＭＤＦ（Ｍｅｄｉｕｍ  Ｄｅｎｓｉｔｙ  Ｆｉｂｅｒｂｏａｒｄ；中密度繊維板）、合板、樹脂板が用いられる。
【００１８】
図１（ａ）に示すように、凹凸状非無垢基材１２は表面に凹凸形状を有する、この凹凸形状は、例えば、図９に示す平板状非無垢基材１１に、いわゆる名栗加工を行うことで形成される。
【００１９】
凹凸状非無垢基材１２は、表面に凹凸形状を有するため、凹凸状非無垢基材１２の凹凸の表面形状を示す曲線である表面形状曲線１７を有する。表面形状曲線１７は、通常、凹凸状非無垢基材１２の断面における表面形状を示す曲線が用いられる。図１（ａ）に示すように、表面形状曲線１７は、その変曲点である表面形状曲線変曲点１５を有する。表面形状曲線１７は、通常、図１（ａ）の紙面奥行方向に向かって多数存在することにより、表面形状曲線１７の束の情報となっていることが好ましい。この表面形状曲線１７の束によれば、凹凸状非無垢基材１２の表面の凹凸形状を精密に再現することが可能になる。
【００２０】
ここで、表面形状曲線変曲点１５とは、表面形状曲線１７の一回微分の値の変化が離散的に変化する点を意味する。
【００２１】
＜表面印刷層＞
表面印刷層２０は、凹凸状非無垢基材１２の表面に印刷された表面印刷層であり、木目柄２５を有する。図１（ｂ）に、表面印刷層２０の木目柄２５を模式的に示す。表面印刷層２０の木目柄２５は、インクジェット印刷により形成される。また、インクジェット印刷のうちでも、微小インクドット型のインクジェット印刷を用いると、木目柄２５の高精細な表現が可能で、木目柄２５の本物感に優れるため好ましい。
【００２２】
図１（ｂ）に示すように、表面印刷層２０は、木目柄２５の成長輪を表す表面印刷層木目曲線２６を有する。図１（ｂ）には、表面印刷層木目曲線２６ａ、２６ｂ、２６ｃ、２６ｄ、２６ｅを示す。これらの表面印刷層木目曲線２６は、凹凸状非無垢基材１２の凹凸の表面形状を示す表面形状曲線１７の変曲点である表面形状曲線変曲点１５と同じ位置に、表面印刷層木目曲線２６の変曲点である表面印刷層木目曲線変曲点５５を有する。
【００２３】
ここで、表面印刷層木目曲線変曲点５５とは、表面印刷層木目曲線２６の一回微分の値の変化が離散的に変化する点を意味する。
【００２４】
図１（ｂ）に示すように、表面印刷層木目曲線２６は、凹凸状非無垢基材１２の表面形状曲線変曲点１５と同じ位置に、表面印刷層木目曲線２６の変曲点である表面印刷層木目曲線変曲点５５を有する曲線になっている。
【００２５】
＜効果＞
木質化粧板１によれば、表面に凹凸形状を有する凹凸状非無垢基材１２の凹凸形状に合致するように歪んだ木目柄を表現できるため、本物感、無垢感に優れた木質化粧板１が得られる。
【００２６】
［木質化粧板の製造方法］
木質化粧板１は、例えば、以下の製造方法により製造することができる。以下、木質化粧板１の第１の製造方法及び第２の製造方法について説明する。図２は、木質化粧板の第１の製造方法を示す図である。図１０は、木質化粧板の第２の製造方法を示す図である。
【００２７】
（第１の製造方法）
第１の製造方法は、標準木目画像データ取得工程と、木目ずれデータ取得工程と、表面形状測定工程と、凹凸補正木目画像データ作成工程と、インクジェット印刷工程と、を有する。
【００２８】
＜標準木目画像データ取得工程＞
第１の製造方法では、はじめに標準木目画像データ取得工程を行う。
【００２９】
標準木目画像データ取得工程は、平板材６０にインクジェット印刷により木目柄の表面印刷層２０を形成するための木目柄９５のデータであって、表面無垢材木目曲線９６を含む標準木目画像データ９４を取得する工程である。木目柄９５は、表面印刷層２０を構成する木目柄２５を形成するための標準木目画像データ９４中にある木目柄である。
【００３０】
平板材６０とは、インクジェット印刷される対象として仮想的に作成された平板状の部材である。平板材６０は、仮想的に作成されていればよく、現実に存在する必要はない。図３は、平板材を説明する断面図である。図３は、平板状の平板材６０をその厚み方向に沿って切断した断面図である。平板材６０は、図３に示すような表面に凹凸のない平板状の部材として仮想的に作成される。なお、平板材６０は、現実に存在する必要はないが、現実に存在してもよい。
【００３１】
表面無垢材木目曲線９６とは、標準平板状無垢材５０の木目の成長輪５４により標準平板状無垢材５０の任意の断面に形成される無垢材木目曲線５６のうち、標準平板状無垢材５０の表面に現れた曲線である。
【００３２】
標準平板状無垢材５０とは、木目柄９５のデータを取得するために仮想的に作成された平板状の無垢材である。標準平板状無垢材５０は、仮想的に作成されていればよく、現実に存在する必要はない。
【００３３】
図４（ａ）に標準平板状無垢材５０を示す。図４（ａ）は、標準平板状無垢材５０をその厚み方向に沿って切断した断面図である。標準平板状無垢材５０は、図４（ａ）に示すような表面に凹凸のない平板状の無垢材として仮想的に作成される。なお、標準平板状無垢材５０は、現実に存在する必要はないが、現実に存在してもよい。
【００３４】
図４は、標準木目画像データ取得工程で取得する標準木目画像データ９４を説明する図である。図４（ａ）は、標準平板状無垢材５０の断面図であり、図４（ｂ）は、図４（ａ）をＢ方向から見たときに標準平板状無垢材５０の表面に現れる標準木目画像データ９４の一例である。
【００３５】
標準木目画像データ９４は、標準平板状無垢材５０の表面に現れる木目柄９５のデータであり、平板状の平板材６０の表面にインクジェット印刷により木目柄の表面印刷層２０を形成するためのデータである。このため、標準木目画像データ９４は、標準平板状無垢材５０と同じく平板状の平板材６０の表面の平面にそのまま印刷したときに、自然な木目模様が印刷されるような画像データになっている。
【００３６】
具体的には、標準木目画像データ９４では、図４（ｂ）に示すように、標準木目画像データ９４を正面から見たときに自然な木目模様になるように、複数本の表面無垢材木目曲線９６（９６ａ、９６ｂ、９６ｃ、９６ｄ、９６ｅ）が形成される。このように、標準木目画像データ９４は、表面無垢材木目曲線９６を含む。
【００３７】
一方、標準木目画像データ９４は、凹凸状非無垢基材１２の凹凸形状を有する表面にそのまま印刷すると、自然な木目模様を印刷することができない。このため、本製造方法では、標準木目画像データ９４を凹凸状非無垢基材１２の表面の平面にそのまま印刷したときに自然な木目模様が印刷されるように、後述のように標準木目画像データ９４を画像処理する工程を有する。
【００３８】
標準木目画像データ取得工程では、上記標準木目画像データ９４を、標準木目画像データ９４が格納されたデータベース等から取得する。
【００３９】
＜木目ずれデータ取得工程＞
木目ずれデータ取得工程は、表面無垢材木目曲線９６の位置と、標準平板状無垢材５０の任意の断面に形成される無垢材木目曲線５６の位置と、のズレを示す木目ずれデータ５３を取得する工程である。
【００４０】
図５は、木目ずれデータ取得工程で取得される木目ずれデータ５３を説明する図である。図５（ａ）は、標準平板状無垢材５０Ａ（５０）の模式的な斜視図であり、図５（ｂ）は、図５（ａ）の領域Ｒ１に表された成長輪５４の木目ずれデータ５３の一例である。
【００４１】
領域Ｒ１に表された成長輪５４により、標準平板状無垢材５０Ａ（５０）におけるその厚み方向に垂直な任意の断面には、無垢材木目曲線５６が形成される。また、標準平板状無垢材５０Ａの表面には、表面無垢材木目曲線９６が形成される。表面無垢材木目曲線９６は、無垢材木目曲線５６のうち、標準平板状無垢材５０Ａの厚み方向に垂直な任意の断面が、標準平板状無垢材５０Ａの表面に一致する場合の無垢材木目曲線５６に一致する。すなわち、表面無垢材木目曲線９６は、標準平板状無垢材５０Ａの表面に現れる無垢材木目曲線５６である。
【００４２】
図５（ａ）に示すように、標準平板状無垢材５０Ａの表面には、表面の木目の成長輪５４による無垢材木目曲線５６である表面無垢材木目曲線９６が存在する。また、図５（ａ）の領域Ｒ１に示すように、木目の成長輪５４は、通常、標準平板状無垢材５０Ａの厚さ方向の深さが変化するにつれて、この深さＤ方向に対する垂直方向に移動する。すなわち、標準平板状無垢材５０Ａを、その厚み方向に垂直な任意の断面でかつ深さが異なる断面で切断すると、切断面には標準平板状無垢材５０Ａの表面の表面無垢材木目曲線９６と異なる位置に移動した無垢材木目曲線５６が観察される。この様子を図６に示す。
【００４３】
図６は、標準平板状無垢材５０Ａの厚さ方向の深さＤ（ｄ１、ｄ２、ｄ３、ｄ４）と、標準平板状無垢材５０Ａの厚み方向に垂直に各深さＤで切断した標準平板状無垢材５０Ａの切断面に表れる無垢材木目曲線５６との関係を示す図である。なお、深さｄ１は標準平板状無垢材５０Ａの表面に相当する深さであり、深さｄ４は標準平板状無垢材５０Ａの裏面に相当する深さである。
【００４４】
図６に示すように、図６の左側の図の標準平板状無垢材５０Ａをその深さｄ１、ｄ２、ｄ３、ｄ４で標準平板状無垢材５０Ａの厚み方向に垂直な任意の断面で切断すると、図６の右側の図のような４つの切断面が現れる。なお、図６の右側の図のうち、一番上の図（Ｄ＝ｄ１）は標準平板状無垢材５０Ａの表面であり、この表面に現れる、木目の成長輪５４による無垢材木目曲線５６は、表面無垢材木目曲線９６と等しい。また、図６の右側の図のうち、一番下の図（Ｄ＝ｄ４）は標準平板状無垢材５０Ａの裏面を表面側から見た図である。
【００４５】
図６の右側の図から分かるように、無垢材木目曲線５６は、一番上の図（Ｄ＝ｄ１、表面無垢材木目曲線９６）から、深さがｄ２、ｄ３、ｄ４と深くなるにつれて無垢材木目曲線５６α、５６β、５６γのように全体的に図中ｘ方向に移動する。図６中の紙面の奥行ｙを一定値とした場合における、深さＤの変化に伴う無垢材木目曲線５６の図中ｘ方向のずれ量をＸと定義する。そして、同一の成長輪５４による無垢材木目曲線５６の、深さＤとずれ量Ｘとの関係を示すデータを木目ずれデータ５３と定義する。
【００４６】
図５（ｂ）は、図５（ａ）の標準平板状無垢材５０Ａの手前側の端面の領域Ｒ１内に表された成長輪５４が形成する無垢材木目曲線５６の木目ずれデータ５３の一例である。標準平板状無垢材５０の手前側の端面の領域Ｒ１内に表された成長輪５４は直線状であり、深さＤの変位とずれ量Ｘとが比例するため、図５（ｂ）に示す木目ずれデータ５３を有する。
【００４７】
木目ずれデータ５３は、標準平板状無垢材５０Ａの木目の形状により異なる。木目ずれデータ５３の他の一例について説明する。図７は、木目ずれデータ取得工程で取得される木目ずれデータ５３を説明する図である。図７（ａ）は、標準平板状無垢材５０Ａと異なる標準平板状無垢材５０Ｂ（５０）の模式的な斜視図である。
【００４８】
図７（ｂ）は、図７（ａ）の標準平板状無垢材５０Ｂ（５０）の手前側の端面の領域Ｒ２内に表された成長輪５４が形成する無垢材木目曲線５６の木目ずれデータ５３の一例である。標準平板状無垢材５０の手前側の端面の領域Ｒ２内に表された成長輪５４は曲線状であり、深さＤの変位に対しずれ量Ｘが指数関数的に増加するため、図７（ｂ）に示す木目ずれデータ５３を有する。
【００４９】
木目ずれデータ取得工程では、上記木目ずれデータ５３を、例えば、木目ずれデータ５３が格納されたデータベース等から取得する。
【００５０】
＜表面形状測定工程＞
表面形状測定工程は、表面に凹凸形状を有する凹凸状非無垢基材１２の表面形状を測定して、凹凸状非無垢基材１２の凹凸形状の表面形状曲線１７を含む表面形状測定データを取得する工程である。
【００５１】
具体的には、図２（ａ）に示すように、レーザ変位計等の表面形状計測部１２１を用いて凹凸状非無垢基材１２の表面形状を測定することにより、凹凸状非無垢基材１２の凹凸形状の表面形状曲線１７を含む表面形状測定データを取得する。
【００５２】
＜凹凸補正木目画像データ作成工程＞
凹凸補正木目画像データ作成工程は、木目ずれデータ５３と前記表面形状測定データとに基づき、標準木目画像データ９４中の表面無垢材木目曲線９６を画像処理することにより、凹凸補正木目曲線９７を含む凹凸補正木目画像データ１９を作成する工程である。
【００５３】
表面無垢材木目曲線９６の画像処理は、表面無垢材木目曲線９６を、表面無垢材木目曲線９６が凹凸状非無垢基材１２の凹凸の表面形状を示す表面形状曲線１７の変曲点である表面形状曲線変曲点１５と同じ位置に変曲点５８を有するように変形させる処理である。すなわち、表面無垢材木目曲線９６の画像処理は、表面無垢材木目曲線９６中の標準木目画像データ９４を、凹凸状非無垢基材１２の表面の平面にそのまま印刷したときに自然な木目模様が印刷されるように画像処理する工程である。この画像処理により、各表面無垢材木目曲線９６から凹凸補正木目曲線９７が作成され、凹凸補正木目曲線９７を含む凹凸補正木目画像データ１９が作成される。
【００５４】
具体的には、図２（ｂ）に示すように、木目ずれデータ５３と前記表面形状測定データとに基づき、標準木目画像データ９４中の表面無垢材木目曲線９６を画像処理することにより、凹凸補正木目曲線９７を含む凹凸補正木目画像データ１９を作成する。
【００５５】
図２（ｂ）に示す処理を図８を適宜参照して詳細に説明する。図８は、凹凸補正木目画像データ作成工程で作成される凹凸補正木目画像データ１９を説明する図である。図８（ａ）は、表面に凹凸形状を有する凹凸状非無垢基材１２の断面図である。図８（ｂ）は、図８（ａ）をＣ方向から見た表面に印刷するための標準木目画像データ９４の一例である。図８（ｃ）は、標準木目画像データ９４等に基づいて作成された凹凸補正木目画像データ１９の一例である。
【００５６】
図２（ｂ）に示す凹凸補正木目画像データ作成工程では、はじめに、標準木目画像データ取得工程で取得した標準木目画像データ９４を取得する。次に、木目ずれデータ５３と前記表面形状測定データとに基づき、標準木目画像データ９４を、凹凸状非無垢基材１２の表面の凹凸形状に合った表面印刷層２０を形成することができるように画像処理する。具体的には、標準木目画像データ９４中の表面無垢材木目曲線９６を、表面無垢材木目曲線９６が凹凸状非無垢基材１２の凹凸の表面形状を示す表面形状曲線１７の変曲点である表面形状曲線変曲点１５と同じ位置に変曲点５８を有するように画像処理する。これにより、表面無垢材木目曲線９６が画像処理されてなる凹凸補正木目曲線９７を含む凹凸補正木目画像データ１９を作成することができる。
【００５７】
より具体的には、凹凸補正木目画像データ作成工程では、はじめに、図８（ｂ）に示す標準木目画像データ９４を取得する。標準木目画像データ９４は、複数本の表面無垢材木目曲線９６（９６ａ、９６ｂ、９６ｃ、９６ｄ、９６ｅ）を含む。次に、木目ずれデータ５３と前記表面形状測定データとに基づき、図８（ｂ）に示す標準木目画像データ９４を画像処理する。この画像処理は、標準木目画像データ９４中の表面無垢材木目曲線９６が図８（ａ）に示す凹凸状非無垢基材１２の凹凸の表面形状を示す表面形状曲線１７の変曲点である表面形状曲線変曲点１５と同じ位置に変曲点５８を有するように行う。これにより、図８（ｂ）に示す標準木目画像データ９４中の表面無垢材木目曲線９６が画像処理されてなる凹凸補正木目曲線９７を含む凹凸補正木目画像データ１９が作成される。図８（ｃ）に凹凸補正木目画像データ１９を示す。
【００５８】
＜インクジェット印刷工程＞
インクジェット印刷工程は、凹凸補正木目画像データ１９に基づき凹凸状非無垢基材１２の表面にインクジェット印刷することにより、凹凸状非無垢基材１２の表面に、凹凸補正木目画像データ１９と同様の木目柄の表面印刷層２０を形成する。
【００５９】
具体的には、図２（ｃ）に示すように、インクジェット印刷部１０５を用いてインクジェット印刷することにより、凹凸状非無垢基材１２の表面に、凹凸補正木目画像データ１９と同様の木目柄の表面印刷層２０を形成する。
【００６０】
インクジェット印刷工程を経ると、木質化粧板１が得られる。
【００６１】
＜効果＞
第１の製造方法によれば、表面に凹凸形状を有する凹凸状非無垢基材１２の凹凸形状に合致するように歪んだ木目柄を表現できるため、本物感、無垢感に優れた木質化粧板１が得られる。
【００６２】
（第２の製造方法）
第２の製造方法は、標準木目画像データ取得工程と、木目ずれデータ取得工程と、凹凸加工用表面形状データ取得工程と、凹凸加工工程と、凹凸補正木目画像データ作成工程と、インクジェット印刷工程と、を有する。
【００６３】
＜標準木目画像データ取得工程＞
第２の製造方法では、はじめに標準木目画像データ取得工程を行う。標準木目画像データ取得工程は、第１の製造方法の標準木目画像データ取得工程と同じであるため、説明を省略する。
【００６４】
なお、第１の製造方法の標準木目画像データ取得工程の説明における凹凸状非無垢基材１２は、第２の製造方法の凹凸加工用表面形状データ取得工程や凹凸加工工程における凹凸状非無垢基材１２と同じである。
【００６５】
＜木目ずれデータ取得工程＞
木目ずれデータ取得工程は、第１の製造方法の木目ずれデータ取得工程と同じであるため、説明を省略する。
【００６６】
＜凹凸加工用表面形状データ取得工程＞
凹凸加工用表面形状データ取得工程は、平板状非無垢基材１１の表面を、表面に凹凸形状を有する凹凸状非無垢基材１２の表面形状に一致する形状に加工するための凹凸加工用表面形状データを取得する工程である。
【００６７】
平板状非無垢基材１１とは、平板状の非無垢基材である。図９は、平板状非無垢基材を説明する断面図である。図９は、平板状非無垢基材１１をその厚み方向に沿って切断した断面図である。図９に示すように、平板状非無垢基材１１は、表面に凹凸のない平板状の部材である。平板状非無垢基材１１の材質は、凹凸状非無垢基材１２と同じである。
【００６８】
凹凸加工用表面形状データは、例えば、図８（ａ）に示す、凹凸状非無垢基材１２の凹凸の表面形状を示す表面形状曲線１７の情報を含むデータである。凹凸加工用表面形状データは、通常、表面形状曲線１７の情報を図８（ａ）の紙面奥行方向に向かって多数存在する、表面形状曲線１７の束となっている。この表面形状曲線１７の束を含む凹凸加工用表面形状データによれば、平板状非無垢基材１１を、凹凸状非無垢基材１２の表面の凹凸状の表面形状に一致する形状に精密に加工することが可能になる。
【００６９】
凹凸加工用表面形状データ取得工程では、凹凸加工用表面形状データを、凹凸加工用表面形状データが格納されたデータベース等から取得する。
【００７０】
＜凹凸加工工程＞
凹凸加工工程は、凹凸加工用表面形状データに基づき、平板状非無垢基材１１の表面を凹凸状非無垢基材１２の表面形状に一致する形状に加工して、凹凸状非無垢基材１２を作製する工程である。
【００７１】
具体的には、図１０（ａ）に示すように、レーザ加工機等の凹凸加工部１２３を用いて平板状非無垢基材１１の表面を加工することにより、凹凸状非無垢基材１２を作製する。
【００７２】
＜凹凸補正木目画像データ作成工程＞
凹凸補正木目画像データ作成工程は、木目ずれデータ５３と前記凹凸加工用表面形状データとに基づき標準木目画像データ９４中の表面無垢材木目曲線９６を画像処理することにより、凹凸補正木目曲線９７を含む凹凸補正木目画像データ１９を作成する工程である。
【００７３】
第２の製造方法の凹凸補正木目画像データ作成工程は、第１の製造方法の凹凸補正木目画像データ作成工程において、表面形状測定データに代えて凹凸加工用表面形状データを用いる以外は同じ工程であるため、説明を省略する。
【００７４】
＜インクジェット印刷工程＞
インクジェット印刷工程は、第１の製造方法のインクジェット印刷工程と同じであるため、説明を省略する。
【００７５】
＜効果＞
第２の製造方法によれば、表面に凹凸形状を有する凹凸状非無垢基材１２の凹凸形状に合致するように歪んだ木目柄を表現できるため、本物感、無垢感に優れた木質化粧板１が得られる。
【００７６】
以上、実施例に沿って本実施形態の内容を説明したが、本実施形態はこれらの記載に限定されるものではなく、種々の変形及び改良が可能であることは、当業者には自明である。
【符号の説明】
【００７７】
１  木質化粧板
１１  平板状非無垢基材
１２  凹凸状非無垢基材
１５  表面形状曲線変曲点
１７  表面形状曲線
１９  凹凸補正木目画像データ
２０  表面印刷層
２５  木目柄（表面印刷層の木目柄）
２６  表面印刷層木目曲線
５０、５０Ａ、５０Ｂ  標準平板状無垢材
５３  木目ずれデータ
５４  成長輪
５６  無垢材木目曲線
５８  変曲点
６０  平板材
９４  標準木目画像データ
９５  木目柄（標準木目画像データの木目柄）
９６  表面無垢材木目曲線
９７  凹凸補正木目曲線
１０５  インクジェット印刷部
１１５  離散的に変化する点
１１７  表面形状曲線を一回微分した曲線
１２１  表面形状計測部（レーザ変位計）
１２３  凹凸加工部（レーザ加工機）
【図１】
2019098616.tif 000003
【図２】
2019098616.tif 000004
【図３】
2019098616.tif 000005
【図４】
2019098616.tif 000006
【図５】
2019098616.tif 000007
【図６】
2019098616.tif 000008
【図７】
2019098616.tif 000009
【図８】
2019098616.tif 000010
【図９】
2019098616.tif 000011
【図１０】
2019098616.tif 000012